(57)【特許請求の範囲】
【請求項１】
少なくとも１つの絶縁除去要素（１）を具備する絶縁除去端子であって、前記絶縁除去要素１は、スリーブ本体に、前記絶縁除去要素（１）によって電気的に接触できる電気的な導体の絶縁体を切り開く保持スロット（５）を有し、この保持スロット（５）は、挿入開口部から前記スリーブ本体の長手方向（Ｌ）に連続的に延びており、このスリーブ本体は横材（２）を有し、この横材の両端部には、２つの互いに向き合っているばね脚部（３ａ，３ｂ）が一体的に接続されており、これらのばね脚部は、前記横材（２）に向かい合っている自らの端部で、前記脚部端部（４ａ，４ｂ）の自由縦側縁によって前記保持スロット（５）を形成するための互いに向かい合っている前記脚部端部（４ａ，４ｂ）に移行し、その結果、前記保持スロット（５）の下方には、前記ばね脚部（３ａ，３ｂ）および前記横材（２）によって区画された導体収容空間が形成されており、
前記ばね脚部（３ａ，３ｂ）は、夫々、少なくとも１つのスロット開口部（９ａ，９ｂ）を有し、このスロット開口部は、前記脚部端部（４ａ，４ｂ）の、前記長手方向（Ｌ）に連続している縦側縁をあけつつ、前記横材（２）から前記脚部端部の方向に延びており、前記スロット開口部の幅は、延在方向に、前記ばね脚部（３ａ，３ｂ）の幅に適合されており、その結果、前記横材（２）から前記脚部端部（４ａ，４ｂ）の前記縦側縁へ先細りになる、前記ばね脚部（３ａ，３ｂ）の有効幅が、前記長手方向（Ｌ）に生じ、その結果、前記脚部端部（４ａ，４ｂ）は、前記隣接のばね脚部（３ａ，３ｂ）から曲げられていること、および前記スロット開口部（９ａ，９ｂ）は、部分的に、前記曲げられた脚部端部（４ａ，４ｂ）へ延びていることを特徴とする絶縁除去端子。
【請求項２】
前記脚部端部（４ａ，４ｂ）は、前記長手方向（Ｌ）に、前記ばね脚部（３ａ，３ｂ）の両方の端部が接続されている前記横材（２）よりも短いことを特徴とする請求項１に記載の絶縁除去端子。
【請求項３】
前記ばね脚部（３ａ，３ｂ）は、台形状であることを特徴とする請求項２に記載の絶縁除去端子。
【請求項４】
前記脚部端部（４ａ，４ｂ）は、前記保持スロット（５）の漏斗状に先細っている入口を形成するために、少なくとも１つの側縁（６ａ，６ｂ）で、丸くされていることを特徴とする請求項１ないし３のいずれか１に記載の絶縁除去端子。
【請求項５】
前記横材(２)の少なくとも１つの自由端には、接続ラグが設けられていることを特徴とする請求項１ないし４のいずれか１に記載の絶縁除去端子。
【請求項６】
前記接続ラグは、前記横材(２)に一体成形されていることを特徴とする請求項５に記載の絶縁除去端子。
【請求項７】
前記少なくとも１つの接続ラグは、前記長手方向（Ｌ）に対し横方向に、前記横材の面に対しほぼ平行に曲げられており、自らの端部部分で、前記スロット開口部（９ａ，９ｂ）に対し反対方向に下方へ向いて折られていることを特徴とする請求項５または６に記載の絶縁除去端子。
【請求項８】
前記少なくとも１つの接続ラグは、前記長手方向（Ｌ）に対し横方向に離れて向いている２つの脚部を有し、これらの脚部の端部は、収容スロットを形成するように、互いに向かって曲げられていることを特徴とする請求項５または６に記載の絶縁除去端子。
【請求項９】
前記少なくとも１つの接続ラグは、前記横材から、前記スロット開口部（９ａ，９ｂ）とは反対方向に向いて下方に曲げられており、はんだづけピンを形成していることを特徴とする請求項５または６に記載の絶縁除去端子。
【請求項１０】
前記少なくとも１つの接続ラグは、前記長手方向（Ｌ）に対し横方向にかつ前記横材（２）の面に対し平行に延びている２つのセクションを有し、これらのセクションの、前記長手方向（Ｌ）に延びている端部セクションは、バス・バーを収容するために折り曲げられていることを特徴とする請求項５または６に記載の絶縁除去端子。
【請求項１１】
前記接続ラグは、締付用スロットを有することを特徴とする請求項５または６に記載の絶縁除去端子。
【請求項１２】
前記横材（２）には、前記スロット開口部（９ａ，９ｂ）と反対方向に、ピンが下方へ曲げられていることを特徴とする請求項１ないし１１のいずれか１に記載の絶縁除去端子。
【請求項１３】
前記横材（２）は、この横材（２）から出ているばねクリップ端子に接続されていることを特徴とする請求項１ないし４のいずれか１に記載の絶縁除去端子。
【請求項１４】
少なくとも２つの絶縁除去要素（１）が、前記保持スロット（５）の延在方向に相前後して共通の横材（２）に設けられていることを特徴とする請求項１ないし１３のいずれか１に記載の絶縁除去端子。
【発明の詳細な説明】
【技術分野】
【０００１】
本発明は、少なくとも１つの絶縁除去要素１を具備する絶縁除去端子に関する。絶縁除去要素１は、スリーブ本体に、絶縁除去要素によって電気的に接触できる電気的な導体の絶縁体を切り開く保持スロットを有し、この保持スロットは、挿入開口部からスリーブ本体の長手方向に連続的に延びており、このスリーブ本体は横材を有し、この横材の両端部には、２つの互いに向き合っているばね脚部が一体的に接続されており、これらのばね脚部は、横材に向かい合っている自らの端部で、脚部端部の自由縦側縁によって保持スロットを形成するための互いに向かい合っている脚部端部に移行し、その結果、保持スロットの下方には、ばね脚部および横材によって区画された導体収容空間が形成されている。
【背景技術】
【０００２】
このタイプの絶縁除去端子は、絶縁された電気的な導体が、事前に導体の絶縁を除去することなしに可能であるという利点を有する。電気的な導体を挿入する際に、絶縁層が切り開かれ、かくして露出された電気的な導体が、保持スロットを形成している双方の脚部端部の、互いに向かい合っている縁部で、絶縁除去要素に電気的に接触されている。脚部端部は、横材によって互いに接続されておりかつ互いに向かい合っている双方のばね脚部によって、ばね式に取り付けられている。その結果、これらの脚部端部は、電気的な導体の挿入の際に、互いに押し離され、ばね脚部によって加えられるばね力によって、電気的な導体へ押しつけられる。
【０００３】
特許文献１は、絶縁体を除去することなく電気的な導体を接続するためのスリーブ状の締付要素を開示する。この締付要素では、締付スロットが、この締付スロットに対し垂直方向に延びている切り込みによって、少なくとも２つのセクション領域に区分されている。従って、只１つのスリーブ状の締付要素には、２つのまたはそれより多い電気的な導体が締め付けられおり、これらの導体が互いに影響を及ぼすことはない。
【０００４】
特許文献２は、保持スロットを形成している２つの向かい合っているリップを有する接続部分を具備する電気的な締付ブロックを開示する。接続部分の保持スロットの各々のリップは、補助スロットによって２つの部分に分割されている。その目的は、２つの別個な締付点を形成するためである。
【０００５】
特許文献３および特許文献４からは、絶縁除去接点の他の実施の形態が公知である。これらの絶縁除去接点では、２つのカッティング・ブレードが、共通の横材から開放端部の面に沿って平行に延びており、接触スロットを区画している。平らな薄板から成形されたカッティング・ブレードは、夫々、スロット状のリセスを有する。それ故に、カッティング・ブレードと各々のリセスとの間に、複数の絶縁除去横材が作られる。これらの絶縁除去横材は、絶縁除去縁部と共に接触スロットを区画する。導体を接触スロットへ押圧する際に、絶縁除去接点用脚部の双方の自由端は、幾らか互いに退くことが可能である。このことによって、接触スロットの開放端は、導体の直径に適合することができる。導体を接触スロットへ押し込める際に、絶縁除去横材は、導体によって絶縁除去横材へ加えられる圧力に従って、撓み、リセスの幅を減少しつつ、外側へ僅かに曲がる。従って、接触スロットは、種々の直径の導体へ自動的に調整されることが可能である。
【０００６】
保持スロットまで２つの別個の締付領域に連続的に分割されたこのタイプの絶縁除去要素は、特許文献５から公知である。
【０００７】
特許文献６では、スリーブ状の締付要素の構造を、締付状態での曲げ応力分布を考慮しつつ、以下のことによって、すなわち、締付要素の複数のばね脚部の少なくとも１つのばね脚部の横断面が、締付点まで先細りにされることによって、最適化することが提案されている。このことによって、複数のばね脚部での機械応力の均等な分布が達成される。この分布は、曲げ領域で伸ばされる。脚部端部の戻り距離が、かくして増大されることができる。
【０００８】
特許文献７は、スリーブ本体の長手方向に延びており、かつ保持スロットの可撓性を増大させるための複数のリセスを有する、横断面で円形の絶縁除去端子を開示する。
【特許文献１】DE 2 339 800
【特許文献２】DE 32 39 708 C2
【特許文献３】DE 89 14 739 U1
【特許文献４】DE 35 41 371 A1
【特許文献５】US 4,466,682 A1
【特許文献６】DE 199 09 825 C5
【特許文献７】EP 0 660 441 A1
【発明の開示】
【０００９】
従来の技術を前提として、本発明の目的は、曲げ応力分布従ってまたばね曲線が、構造的な処置によって、如何なる要求にも適合されてなる改善された絶縁除去端子を提供することである。
【００１０】
上記目的は、明細書の最初の部分に記載の絶縁除去端子を用いて、ばね脚部が、夫々、少なくとも１つのスロット開口部を有し、このスロット開口部は、脚部端部の、長手方向に連続している縦側縁をあけつつ、横材から脚端部の方向に延びており、スロット開口部の幅は、延在方向に、ばね脚部の幅に適合されており、その結果、横材から脚部端部の縦側縁へ先細りになる、ばね脚部の有効幅が、長手方向に生じ、その結果、脚部端部は、隣接のばね脚部から曲げられていること、およびスロット開口部が、部分的に、曲げられた脚部端部へ延びていることによって解決される。
【００１１】
ばね特性を、ばね脚部の横断面における肉厚の変化によって生じさせることではなくて、ばね脚部にスロット開口部を設け、かつこのスロット開口部によってばね特性を、所望の特性に適合させることが提案される。ばね曲線等が、必ずしもばね脚部の肉厚に依存しているわけではなく、長手方向におけるばね脚部の有効幅、しかもスロット開口部によって適合される有効幅に依存していることが利用される。更に、スロット開口部は、電線の絶縁材料を収容するための空間を供する。
【００１２】
最適の曲げ応力分布を得るために、スロット開口部が、部分的に、折り曲げられた脚部端部へ延びており、それ故に、ばね特性が、特に、ばね脚部から脚部端部への移行において、出来る限り高い復元力の保証のために適切であることが提案される。従って、更に、スロット開口部に入り込むことができる絶縁材料のための収容空間が増大される。
【００１３】
従って、本発明の教示によれば、スロット開口部の長さおよび形状は、最適なばね曲線、従ってまた機械応力の最適な、好ましくは均等なプロファイルが、ばね脚部に生じるように、適合されている。
【００１４】
絶縁除去要素の脚部端部が、長手方向に、ばね脚部の両方の端部が接続されている横材よりも短いことは好都合である。このことによって、ばね脚部の有効幅が、横材から脚部端部へと、脚部端部のこの縮小によって既に減少している。スロット開口部によって、ばね脚部の、脚部端部の方向に減少する、有効幅の、その作用が著しく強化される。
【００１５】
脚部端部が、平面図で台形状に構成されていることは好ましく、この場合、必要な場合には、脚部端部は、ばね脚部の少なくとも１つの側縁に、キンク８を有し、キンクには、台形を形成するために横材から脚部端部の方向に斜めに延びている側縁が、脚部端部まで連続しておりかつ横材の面に関してほぼ垂直のセクションへ移行する。従って、台形は、必ずしも、ばね脚部の側縁の連続的なプロファイルを必要とはしない。ばね脚部の側縁の曲げられたか折り曲げられたプロファイルも、台形の基本的な実施の形態では、考えられる。
【００１６】
ばね脚部の少なくとも１つの側縁の屈曲した実施の形態では、ばね脚部における機械応力を均等化するためには、脚部端部が、脚部端部から横材の方向に、キンクのほぼ高さまで、一定の幅を有し、そこから、ばね脚部の、横材への接続の方向に、先細りになっていることは、好都合である。従って、スロット開口部の幅が、残余のばね脚部材料の、各々の面にある有効幅に、すなわち、ばね脚部の側縁の形状に適合されている。
【００１７】
絶縁除去要素の固定および／または電気的な接続は、従来の技術から知られた種々の方法でなされることができる。従属請求項には、絶縁除去要素の固定および／または電気的な接続のための好都合な実施の形態が記載されている。
【発明を実施するための最良の形態】
【００１８】
以下、添付した図面を参照して本発明の実施の形態を詳述する。図１は、絶縁除去要素１の斜視図を示す。絶縁除去要素は、横材２と、この横材に接続するばね脚部３ａ，３ｂと、ばね脚部３ａ，３ｂに接続する脚部端部４ａ，４ｂとによって形成されているスリーブ本体からなる。横材２はＵ字形に湾曲されており、夫々破線によって示された双方の端部で、これらの端部に接続するばね脚部３ａ，３ｂに一体的に結合されている。絶縁除去要素１は、材料から、特に、導電性の金属、例えば、クロム・ニッケル合金、銅合金から、または銅で被覆されたばねメタルから一体的に形成されている。ばね脚部３ａ，３ｂは、横材から、ほぼ同方向に上方へ延びており、横材によって、互いから離隔して設けられている。ばね脚部３ａ，３ｂの上端には、角度をなして、湾曲部を介して、夫々、脚部端部４ａ，４ｂが接続されている。これらの脚部端部は、互いに向いている。それ故に、脚部端部４ａ，４ｂの自由縦縁は、保持用スロットに挿入される電気的な導体のための保持用スロット５を形成する。脚部端部４ａ，４ｂは、互いに向かって僅かに傾斜している。それ故に、双方の側縁の互いに向かいあう外側角度は、電気的な導体を包摂する絶縁層を分離するための鋭いカッティング要素として用いられることができる。
【００１９】
ばね脚部３ａ，３ｂが実質的に台形状に形成されており、脚部端部４ａ，４ｂが、長手方向Ｌに、ばね脚部３ａ，３ｂの両方の端部が接続されている横材２よりも短いことは明らかである。横材２から脚部端部４ａ，４ｂの方向に延びている、ばね脚部３ａ，３ｂの側縁６ａ，６ｂは、図示した実施の形態では、傾斜して延びている。互いに向かい合っている側縁７ａ，７ｂは、必要な場合には、キンク８を有することができる。このキンクからは、側縁７ａ，７ｂが脚部端部４ａ，４ｂに対し垂直に延びている。しかし、同様に、側縁６ａ，６ｂが真っ直ぐに延びていることも考えられる。この実施の形態は、実質的に、絶縁材ハウジングへの組み込み状況に依存する。
【００２０】
ばね脚部３ａ，３ｂの面には、夫々、スロット開口部９ａ，９ｂが形成されており、これらのスロット開口部は、脚部端部４ａ，４ｂの中を完全には通っていない。保持スロット５が、中断なしに、連続的に形成されている。従って、絶縁除去要素１は、２つの互いに分離した締付領域に分割されている。
【００２１】
スロット開口部９ａ，９ｂの幅は、スロット開口部９ａ，９ｂの延在方向に一定でなくて、各々の面におけるばね脚部３ａ，３ｂの有効幅に適合されている。その結果、所望のばね特性、すなわち、ばね脚部３ａ，３ｂにおける機械応力の所望の分布が達成される。この所望の分布は、例えば均一であってもよい。
【００２２】
実施の形態では、台形状のばね脚部３ａ，３ｂの場合に、スロット開口部９ａ，９ｂが、上方の領域で、ばね脚部３ａ，３ｂと脚部端部４ａ，４ｂとの間の湾曲部に入り込んでいることが意図されている。下方の領域では、スロット開口部９ａ，９ｂが横材２の方向に先細りになっており、スロット開口部の端部は、円弧状になっている。
【００２３】
図２は、図１の絶縁除去要素１の、断面Ａ−Ａに沿った、挿入された導体１０を有する図を示す。導体１０の絶縁材料が、部分的に、スロット開口部９ａ，９ｂに入り込むことは明らかである。このことは、絶縁除去要素１が、絶縁材料すなわち導体１０によっては、押し離されないという利点を有する。このことは、ばね締付力の減少をもたらすだろう。従って、絶縁除去要素１の据付幅を、スロット開口部９ａ，９ｂを有しない絶縁除去要素と比較して、スロット開口部９ａ，９ｂへの絶縁材料の可能な入り込み深さだけ、減少することができる。
【００２４】
長手方向Ｌに対し横方向の各々の面におけるばね脚部３ａ，３ｂの有効幅に適合された、スロット開口部９ａ，９ｂの形状は、図３でより明らかになる。
【００２５】
図４は、図１の絶縁除去要素１の平面図を示す。互いに向かって曲げられている双方の脚部端部４ａ，４ｂが、僅かな角度で互いに向かい合っており、その結果、脚部端部４ａ，４ｂの側縁の下縁が、保持スロット５に挿入された電気的な導体の絶縁を切り開くことができるために用いる鋭い縁の保持スロット５を形成していることは明らかである。スロット開口部９ａ，９ｂが、脚部端部４ａ，４ｂを通っておらず、保持スロット５が中断なしに連続していることも、明らかである。保持スロット５の長さが横材２の長さよりも小さいことも認められる。脚部端部４ａ，４ｂの湾曲端部によって、電気的な導体の既述した漏斗状の挿入領域が形成される。
【００２６】
図５は、挿入された導体を有する、図１ないし４の絶縁除去要素１の、その斜視図を示す。絶縁除去要素が、保持スロット５に挿入された導体１０によって曲げ広げられていることが明らかである。このことによって、ばね力が、導体１０の絶縁材料にある電気的な導体へ加えられ、絶縁除去要素１の、導体との電気的接触が保証される。保持スロット５によって、絶縁材料が保持スロットの領域で切り開かれる。
【００２７】
図６は、絶縁除去要素の実施の形態の略図を示す。絶縁除去要素では、接続ラグ１１が横材２と一体成形されており、第１のセクションでは、横材２から離れて長手方向Ｌに延びており、第２のセクションでは、長手方向Ｌに対し横方向に曲げられている。第２のセクションは、横材２によって規定された面に対し平行に位置している。第２のセクションの自由端には、絶縁除去端子すなわち絶縁除去要素１から下方に向いているセクションが接続している。このセクションは、湾曲して折り曲げられており、絶縁除去要素の電気的な接続のためのおよび／または機械的な取付のためのはんだづけ用ピン（loetbeinchen）を形成している。
【００２８】
図７は、図６の絶縁除去端子１を展開図で示す。接続ラグが横材２の一側だけでなく、選択的に両側にも設けることは明らかである。広げられた接続ラグの点線による描写は、はんだづけ用ピンが、同一の方向または逆方向に曲げられることができることを示す。
【００２９】
２つのはんだづけ用ピンの各側での形成も同様に可能である。
【００３０】
図８は、電気的な接続方法を用いた、他の実施の形態の他の絶縁除去端子の、その略図を示す。接続ラグ１１が、長手方向Ｌに対し横方向に延びている複数のセクションを有し、これらのセクションの端部が互いに向かって折り曲げられており、例えばバス・バーのための、収容スロットを形成しており、このバス・バーが収容スロットに挿入されることができることは明らかである。複数の接続ラグ１１を、全面的に亘って、あるいは重なり合った状態で少なくとも１つの面で曲げることができる。
【００３１】
図９は、同様に、図８の絶縁除去要素１の展開図を示す。点線によって、全面的な実施の形態が示され、実線によって重なり合った実施の形態が示されている。
【００３２】
図１０は、はんだづけ用ピン１２を有する絶縁除去要素１の略図を、斜視図で示す。このはんだづけ用ピンは、横材２から一体成形されており、横材２によって形成された面の下方に、絶縁除去要素１から離れて下方へ曲げられている。
【００３３】
図１１は、図１０の絶縁除去要素１の展開略図を示す。ここでは、はんだづけ用ピン１２が、図１０で示すように、一側のみならず、横材２の両側に設けられていることが明らかである。
【００３４】
図１２は、接続タブ１３を有する、他の実施の形態の絶縁除去端子１を示す。この接続タブは、同様に、横材と一体成形されており、長手方向Ｌに延びている第１のセクションを有し、このセクションには、両側で長手方向Ｌに対し横方向に延びている横方向の横材１４が接続されている。横方向の横材１４の両端には、複数のフィンガが設けられている。これらのフィンガは、横材２の下方で、下方に折り曲げられている。折り曲げられたフィンガは、例えばバス・バーに接続されていてもよい。
【００３５】
図１０に示された実施の形態の、中央に設けられたはんだづけ用ピン１２が、図１２に略示されたように、ポケットを形成するために曲げられていてなる類似の実施の形態も考えられる。
【００３６】
図１３は、図１２の絶縁除去要素１の展開略図を示す。
【００３７】
図１４は、接続ラグ１５の他の実施の形態の絶縁除去端子１の、その略図を示す。接続ラグ１５は、下方に開いたスロット１６を有する。同様に横材２と一体成形された接続ラグ１５は、横材２によって形成された面の下方へ、下方に曲げられている。スロットが形成された接続ラグ１５は、バス・バーで、接続ラグに適合されたスロットへ挿入されることができ、従って、圧縮結合よって機械的におよび電気的に接続されることができる。後のはんだづけも、考えられる。
【００３８】
図１５は、図１４の絶縁除去要素１の展開略図を示す。スロット１６が、前方の挿入領域で、接続ラグ１５をロックするために用いられる狭隘部を有することが明示されている。
【００３９】
図１６は、接続方法の他の実施の形態の絶縁除去要素１の側面図を示す。横材２からは、取付タブ１７が、横材２によって形成された面の下方で、下方に曲げられている。取付タブ１７は、打ち抜かれまたは切り取られた、横材２の材料のフラップから、形成されている。このことは、図１６の絶縁除去要素の展開略図を示す図１７で、再度より明らかになる。
【００４０】
この関連で、横材２に孔が形成されており、この孔へは、接続ピンが挿入されることができ、必要な場合には、孔にはんだづけされていてなる全く簡単な実施の形態も、考えられる。
【００４１】
図１８は、対の絶縁除去要素１ａ，１ｂの側面図を示す。これらの絶縁除去要素は、共通の横材２に一体成形されており、夫々、ばね脚部３と、該ばね脚部に接続している脚部端部４とを有する。個々の絶縁除去要素１ａ，１ｂの構造は、前記絶縁除去要素に対応しているが、図示した実施の形態では、２つの絶縁除去要素１ａ，１ｂが、共通の横材で、相前後している点で異なっている。
【００４２】
同様に、３つ、４つまたはそれより多い絶縁除去要素を相前後して設けることもできる。
【００４３】
対の絶縁除去要素１ａ，１ｂを共通の横材２に設けることは、図１９の斜視図からおよび図２０の平面図から、より明らかである。
【００４４】
図２１は、挿入された電気的な導体１０ａ，１０ｂを有する対の絶縁除去要素１ａ，１ｂの斜視図を示す。絶縁除去要素１ａ，１ｂが横材２でのみ互いに接続されているので、縁除去要素１ａ，１ｂが、別々に可動なばね脚部３ａ，３ｂおよび３ｃ，３ｄを有することによって、個々の導体１０ａ，１０ｂが、互いに影響を及ぼしあわないように、個々に締め付けられることが可能である。
【００４５】
図２２は、図２１の対の絶縁除去要素１ａ，１ｂの断面図を示す。電気的な導体１０ａ，１０ｂの絶縁被覆が、部分的に、スロット開口部９ａ，９ｂ，９ｃ，９ｄに入り込んでいることが明らかである。
【図面の簡単な説明】
【００４６】
【図１】絶縁除去要素の斜視図を示す。
【図２】挿入された導体を有する絶縁除去要素の断面図を示す。
【図３】ばね脚部にスロット開口部を有する絶縁除去要素の正面図を示す。
【図４】図１の絶縁除去要素の平面図を示す。
【図５】挿入された導体を有する、図１の絶縁除去要素の、その斜視図を示す。
【図６】折り曲げられた接続ラグを有する絶縁除去要素の斜視図を示す。
【図７】両側の接続ラグを有する絶縁除去要素の展開図を示す。
【図８】ポケットを形成するために折り曲げられた接続ラグを有する絶縁除去要素の斜視図を示す。
【図９】図８の絶縁除去要素の展開図を示す。
【図１０】横材から曲げられた接続ピンを有する絶縁除去要素の斜視図を示す。
【図１１】横材の両側に設けられた接続ピンを有する、図１０の絶縁除去要素の展開図を示す。
【図１２】ポケットを形成するために両側の端部で折り曲げられた接続ラグを有する絶縁除去要素の斜視図を示す。
【図１３】図１２の絶縁除去要素の展開図を示す。
【図１４】保護された接続ラグを有する絶縁除去要素の展開図を示す。
【図１５】図１４の絶縁除去要素の展開図を示す。
【図１６】横材から曲げられた接続ピンを有する絶縁除去要素の側面図を示す。
【図１７】図１６の絶縁除去要素の展開図を示す。
【図１８】２つの相前後して設けられた絶縁除去要素の側面図を示す。
【図１９】図１８の対の絶縁除去要素の斜視図を示す。
【図２０】図１８の対の絶縁除去要素の平面図を示す。
【図２１】挿入された導体を有する、図１８ないし２０の対の絶縁除去要素の、その斜視図を示す。
【図２２】挿入された導体を有する、対の絶縁除去要素の、その断面図を示す。
【符号の説明】
【００４７】
１  絶縁除去要素、絶縁除去端子
２  横材
３ａ  ばね脚部
３ｂ  ばね脚部
４ａ  脚部端部
４ｂ  脚部端部
５  保持スロット
９ａ  スロット開口部
９ｂ  スロット開口部
Ｌ  長手方向。
【図１】
0005166191.tif 000002
【図２】
0005166191.tif 000003
【図３】
0005166191.tif 000004
【図４】
0005166191.tif 000005
【図５】
0005166191.tif 000006
【図６】
0005166191.tif 000007
【図７】
0005166191.tif 000008
【図８】
0005166191.tif 000009
【図９】
0005166191.tif 000010
【図１０】
0005166191.tif 000011
【図１１】
0005166191.tif 000012
【図１２】
0005166191.tif 000013
【図１３】
0005166191.tif 000014
【図１４】
0005166191.tif 000015
【図１５】
0005166191.tif 000016
【図１６】
0005166191.tif 000017
【図１７】
0005166191.tif 000018
【図１８】
0005166191.tif 000019
【図１９】
0005166191.tif 000020
【図２０】
0005166191.tif 000021
【図２１】
0005166191.tif 000022
【図２２】
0005166191.tif 000023